(57)【特許請求の範囲】
【請求項１】
生体信号を検出するために人体に着接される一対の検出用電極と、
前記検出用電極の検出信号を処理して生体信号を検出する生体信号検出回路と、
人体に着接され、前記生体信号検出回路によって検出される生体信号を人体を介して体外装置に送信するための送信用電極と、
前記検出用電極のうちのいずれか一方を通じて、前記送信用電極を通じて人体から発信される電波を受信し、受信した電波に基づきインピーダンス整合を行う回路と
を含む、生体信号検出装置。
【請求項２】
生体信号を検出するために人体に着接される一対の検出用電極と、
前記検出用電極の検出信号を処理して生体信号を検出する生体信号検出回路と、
人体に着接され、前記生体信号検出回路によって検出される生体信号を人体を介して体外装置に送信するための送信用電極と、
前記検出用電極のうちのいずれか一方を通じて、前記送信用電極を通じて人体から発信される電波を受信し、受信した電波に基づいて送信波の周波数又は出力の最適化を行う回路と
を含む、生体信号検出装置。
【請求項３】
前記検出用電極のうちのいずれか一方を通じて、前記送信用電極を通じて人体から発信される電波を検出する電波検出回路をさらに含み、
前記一対の検出用電極は、ともに前記生体信号検出回路に接続され、かつ、前記検出用電極のうちのいずれか一方は、前記電波検出回路に接続されており、
前記インピーダンス整合を行う回路は、前記電波検出回路が検出した電波に基づき前記インピーダンス整合を行う、請求項１記載の生体信号検出装置。
【請求項４】
前記検出用電極のうちのいずれか一方を通じて、前記送信用電極を通じて人体から発信される電波を検出する電波検出回路をさらに含み、
前記一対の検出用電極は、ともに前記生体信号検出回路に接続され、かつ、前記検出用電極のうちのいずれか一方は、前記電波検出回路に接続されており、
前記送信波の周波数又は出力の最適化を行う回路は、前記電波検出回路が検出した電波に基づき前記送信波の周波数又は出力の最適化を行う、請求項２記載の生体信号検出装置。
【請求項５】
前記検出用電極のうちのいずれか一方を通じて、前記送信用電極を通じて人体から発信される電波を受信することと、前記検出用電極の検出信号を処理して生体信号を検出することは、互いに異なるタイミングで行われる、請求項１乃至４のいずれか一項記載の生体信号検出装置。
【請求項６】
前記送信用電極は、ダイバーシティ用の一対の電極で構成される、請求項１乃至５のいずれか一項に記載の生体信号検出装置。
【請求項７】
前記送信用電極は、ＭＩＭＯ用の一又は複数の電極で構成される、請求項１乃至５のいずれか一項に記載の生体信号検出装置。
【請求項８】
前記一対の電極は、ヘッドフォン、イヤホン、眼鏡、リストバンド、ストラップ、ベルト、キャップ、又はヘルメットに取り付けられる、請求項６に記載の生体信号検出装置。
【請求項９】
前記一又は複数の電極は、ヘッドフォン、イヤホン、眼鏡、リストバンド、ストラップ、ベルト、キャップ、又はヘルメットに取り付けられる、請求項７に記載の生体信号検出装置。
【発明の詳細な説明】
【技術分野】
【０００１】
本発明は、人体をアンテナとして利用して通信を行う生体信号検出装置に関する。
【背景技術】
【０００２】
近年、医療やヘルスケア等に向けて、非常に近距離の無線通信ネットワークが提案されている。このようなネットワークは、ボディ・エリア・ネットワーク（ＢＡＮ）と呼ばれ、体内埋め込み型やウェアラブル（wearable）型のボディ・エリア・ネットワークの通信規格作りが進められている。
【０００３】
また、従来より、ボディ・エリア・ネットワークとは別に、人体をアンテナとして利用する種々の技術が提案されている。例えば、生体の皮膚から生体情報に対応した電気信号を検出し、検出した電気信号を高周波電流に変換し、人体をアンテナとして発信する装置がある（例えば、特許文献１参照）。
【特許文献１】特開平０５−３１７２７８号公報
【発明の開示】
【発明が解決しようとする課題】
【０００４】
ところで、人体は電磁波を吸収する性質があるため、人体をアンテナとして利用する際には損失が発生し、電波状況が変化する。また、取り扱う電波の波長と身長や電極の取り付け位置との関係によってインピーダンス整合が取れる状況は異なる。これらの変化は、特に人体が動かされている状態において顕著である。
【０００５】
しかしながら、従来の装置では、人体をアンテナとして利用する際に、発信する電波の損失や身長等を考慮して装置と人体との間のインピーダンス整合を取ることは行われていなかった。
【０００６】
そこで、本発明は、人体を送信アンテナとして利用する際の人体と装置との間のインピーダンス整合を調整できる生体信号検出装置を提供することを目的とする。
【課題を解決するための手段】
【０００７】
本発明の一局面の生体信号検出装置は、生体信号を検出するために人体に着接される一対の検出用電極と、前記検出用電極の検出信号を処理して生体信号を検出する生体信号検出回路と、人体に着接され、前記生体信号検出回路によって検出される生体信号を人体を介して体外装置に送信するための送信用電極と、前記検出用電極のうちのいずれか一方を通じて、前記送信用電極を通じて人体から発信される電波を受信し、受信した電波に基づきインピーダンス整合を行う回路とを含む。
【０００８】
本発明の他の局面の生体信号検出装置は、生体信号を検出するために人体に着接される一対の検出用電極と、前記検出用電極の検出信号を処理して生体信号を検出する生体信号検出回路と、人体に着接され、前記生体信号検出回路によって検出される生体信号を人体を介して体外装置に送信するための送信用電極と、前記検出用電極のうちのいずれか一方を通じて、前記送信用電極を通じて人体から発信される電波を受信し、受信した電波に基づいて送信波の周波数又は出力の最適化を行う回路とを含む。
【０００９】
また、前記送信用電極は、ダイバーシティ用の一対の電極で構成されてもよい。
【００１０】
また、前記送信用電極は、ＭＩＭＯ用の一又は複数の電極で構成されてもよい。
【００１１】
また、前記一対の電極、又は、前記一又は複数の電極は、ヘッドフォン、イヤホン、眼鏡、リストバンド、ストラップ、ベルト、キャップ、又はヘルメットに取り付けられてもよい。
【発明の効果】
【００１２】
本発明によれば、人体を送信アンテナとして利用する際の人体と装置との間のインピーダンス整合を調整できる生体信号検出装置を提供できるという特有の効果が得られる。
【発明を実施するための最良の形態】
【００１３】
以下、本発明の生体信号検出装置を適用した実施の形態について説明する。
【００１４】
［実施の形態１］
図１は、実施の形態１の生体信号検出装置と処理装置のハードウェア構成を示すブロック図である。実施の形態１の生体信号検出装置１０は、人体の皮膚に着接して生体信号を検出するための一対の検出電極１１Ａ及び１１Ｂを備える。検出電極１１Ａ及び１１Ｂは、ともに生体信号検出回路１２に接続されており、また、検出電極１１Ｂは接地されている。
【００１５】
生体信号検出回路１２は、フィルタ１２Ａ、アンプ１２Ｂ、Ａ／Ｄコンバータ（以下、ＡＤＣ）１２Ｃを含み、この生体信号検出回路１２には、ＣＰＵ（Central Processing Unit）１３が接続されている。このＣＰＵ１３には、ＲＦ（Radio Frequency）回路１４、送信用電極１５、ＲＦ制御部１６、タッチパネル１７、メモリ１８、及びバッテリ１９に加えてＲＦ信号検出回路２０が接続されている。
【００１６】
このような生体信号検出装置１０は、人体とは離れた場所に設置される処理装置（体外装置）１００に生体信号を伝送する。処理装置１００は、受信用のアンテナ１１０、受信部１２０、ＰＣ（Personal Computer）１３０を備える。アンテナ１１０で受信した信号（生体信号が搬送波に重畳されて変調された信号）は受信部１２０で復調され、生体信号のみが抽出されてＰＣ１３０に入力される。ＰＣ１３０では、生体信号を診断するための種々の処理が行われる。
【００１７】
検出電極１１Ａ及び１１Ｂは、例えば、頭部の所定の場所に着接され、脳波（生体信号）を検出する。また、検出電極１１Ａは、脳波等の生体信号に加えて、送信用電極１５を通じて人体から発信される信号を受信する。脳波の測定は、例えば、国際式１０／２０法に基づいて行うことができる。
【００１８】
検出電極１１Ａ及び１１Ｂによって検出された脳波（生体信号）は（生体データとして）メモリ１８に格納され、利用者の操作に応じて送信用電極１５及び人体を通じて処理装置１００に送信される。この処理装置１００に送信される信号が、検出電極１１Ａにおいて受信される。
【００１９】
なお、脳波（生体信号）の検出処理と、送信用電極１５を通じて人体から発信される信号の受信処理とは別々のタイミングで行われる。これは、生体信号と送信用電極１５を通じて人体から発信される信号とが重畳されることを防ぐためである。
【００２０】
生体信号検出回路１２に含まれるフィルタ１２Ａは、検出電極１１Ａ及び１１Ｂによって検出される生体信号からノイズ等の不要成分を除去するためのバンドパスフィルタであり、不要成分の取り除かれた生体信号はアンプ１２Ｂで増幅され、さらにＡＤＣ１２Ｃでデジタル変換され生体データとして出力される。
【００２１】
ＣＰＵ１３は、少なくとも、ＲＦ回路１４及び送信用電極１５を通じての生体信号の送信処理、ＲＦ回路１４における搬送波の周波数の調整処理、タッチパネル１７に入力された指令によって生体信号検出又はインピーダンス整合を取る処理、生体データをタッチパネル１７へ表示する処理、及び、生体データのメモリ１８への格納処理／メモリ１８からの読み出し処理を行うように構成される。
【００２２】
ＲＦ回路１４は、ＣＰＵ１３がメモリ１８から読み出した生体データをアナログ信号に変換して（すなわち生体信号に変換して）ＲＦ信号（搬送波）に重畳し、さらにこれを変調して出力する回路である。
【００２３】
送信用電極１５は、人体の皮膚に着接され、ＲＦ回路１４から伝送される信号を人体をアンテナとして発信するための電極である。人体への取付は、例えば、ベルトで固定する押し当て式や、クリップを用いた押し当て式によって行われる。なお、送信用電極１５と、検出電極１１Ａ及び１１Ｂとが着接される人体は同一人物のものである。
【００２４】
ＲＦ制御部１６は、後述するＲＦ信号検出回路２０によって検出される信号に基づき、インピーダンス整合を取るために、ＲＦ回路１４で用いる搬送波の周波数を最適化する。なお、その詳細は、ＲＦ信号検出回路２０の処理内容とともに後述する。
【００２５】
タッチパネル１７は、操作ボタンを表示し、利用者が操作入力を行うとともに、生体信号検出回路１２からＣＰＵ１３に伝送される生体データ、又は、メモリ１８に格納されている生体データを表示する。
【００２６】
このタッチパネル１７は、例えば、液晶モニタとマトリクススイッチとを組み合わせたものであればよく、パネルに表示した入力スイッチが利用者に押圧されることにより、操作可能に構成されていればよい。
【００２７】
なお、タッチパネルのみでなく、生体信号のレベルを示すＬＥＤ（Light emitting diode）、又は、利用者に処理状況を音声で知らせるためのスピーカを備えてもよい。
【００２８】
メモリ１８は、生体データを格納するための記憶装置であり、例えば、不揮発性の固体メモリで構成することができる。
【００２９】
バッテリ１９は、ＣＰＵ１３を通じて、実施の形態１の生体信号検出装置の各部に電力を供給するための電源である。例えば、リチウムバッテリ等で構成することができる。
【００３０】
ＲＦ信号検出回路２０は、検出電極１１ＡとＣＰＵ１３に接続されており、フィルタ２０Ａ、アンプ２０Ｂ、及びＡＤＣ（Ａ／Ｄコンバータ）２０Ｃを含む。
【００３１】
フィルタ２０Ａは、検出電極１１Ａによって検出される信号からノイズ等の不要成分を除去するためのバンドパスフィルタであり、不要成分の取り除かれた信号はアンプ２０Ｂで増幅され、さらにＡＤＣ２０Ｃでデジタル変換されて出力される。
【００３２】
このような実施の形態１の生体信号検出装置において、検出電極１１Ａにおいて送信用電極１５を通じて人体から発信される信号を受信すると、受信された信号は、ＲＦ信号検出回路２０のフィルタ２０Ａに入力されてノイズ等の不要成分が除去され、不要成分の取り除かれた信号はアンプ２０Ｂで増幅され、さらにＡＤＣ２０Ｃでデジタル変換され生体データとして出力される。
【００３３】
ここで、送信用電極１５を人体に取り付けた場合には、身長や体格等に個人差があるため、共振周波数の調整が必要になる場合がある。
【００３４】
このため、ＣＰＵ１３は、ＲＦ信号検出回路２０から入力される信号の信号レベルに基づき、送信用電極１５と人体とのインピーダンス整合が取れているか否かを判定する。インピーダンス整合が取れていない場合は、ＲＦ制御部１６は、ＲＦ回路１４に含まれる可変コンデンサ又は可変容量ダイオードの容量を調整することにより、送信用電極１５と人体とのインピーダンス整合を取る。
【００３５】
図２は、実施の形態１の生体信号検出装置１０のＣＰＵ１３が実行するインピーダンス整合処理、生体信号検出処理、及び生体信号送信処理を示す図である。
【００３６】
図２に示すように、ＣＰＵ１３は、処理が開始するとタッチパネル１７に入力された処理内容を確認する（ステップＳ１）。
【００３７】
ＣＰＵ１３は、インピーダンス整合処理が入力されたと判定した場合は、ＲＦ回路１４及び送信用電極１５を通じて試験用のＲＦ信号を発信させる（ステップＳ２Ａ）。
【００３８】
次いで、ＣＰＵ１３は、この試験用のＲＦ信号を検出電極１１Ａで受信し、受信したＲＦ信号に基づいてＲＦ制御部１６を介してＲＦ回路１４に含まれる可変コンデンサ又は可変容量ダイオードの容量を調整し、インピーダンス整合を取る（ステップＳ３Ａ）。
【００３９】
以上によりインピーダンス整合処理は終了する。
【００４０】
また、ＣＰＵ１３は、ステップＳ１において、タッチパネル１７に生体信号検出処理が入力されたと判定した場合は、検出電極１１Ａ及び１１Ｂを通じて入力される生体信号を取り込む（ステップＳ２Ｂ）。
【００４１】
次いで、ＣＰＵ１３は、生体信号検出回路１２でデジタル変換されて出力される生体データをメモリ１８に格納する（ステップＳ３Ｂ）。
【００４２】
以上により生体信号検出処理が終了する。
【００４３】
また、ＣＰＵ１３は、ステップＳ１において、タッチパネル１７に生体信号送信処理が入力されたと判定した場合は、メモリ１８に格納された生体データを読み出す（ステップＳ２Ｃ）。
【００４４】
次いで、ＣＰＵ１３は、読み出した生体データを送信電極１５及び人体を介して処理装置１００に送信する（ステップＳ３Ｃ）。
【００４５】
なお、図２では、生体データをタッチパネル１７に表示させる処理を省略するが、タッチパネル１７に生体データを表示する処理が入力された場合は、ＣＰＵ１３は、メモリ１８に格納された生体データをタッチパネル１７に表示する。タッチパネル１７に表示される生体データは生体信号の波形を表す。
【００４６】
このように、実施の形態１の生体信号検出装置によれば、人体をアンテナとして用いて信号を送信する場合に、送信する信号を検出電極１１Ａで受信してＲＦ回路１４に含まれる可変コンデンサ又は可変容量ダイオードの容量を調整するので、送信用電極１５と人体とのインピーダンス整合を取ることができる。これにより、人体での損失を最小限に抑えて発信することができる。
【００４７】
なお、以上では、ＲＦ信号検出回路２０に検出電極１１Ａを接続する形態について説明したが、検出電極１１Ｂを接続してもよい。すなわち、ＲＦ信号検出回路２０には、検出電極１１Ａ又は１１Ｂのいずれか一方が接続されるようにすればよい。
【００４８】
また、以上では、人体と送信波の共振周波数が一致しない場合にインピーダンス整合処理を行う形態について説明したが、このインピーダンス整合処理に代えて、あるいは、これに加えて、ＲＦ回路１４で用いる搬送波の周波数又は出力を調整することによって、送信波の周波数を変更し、これにより人体と送信波の共振周波数を合わせるようにしてもよい。
【００４９】
［実施の形態２］
実施の形態２の生体信号検出装置３０は、送信用電極（３５Ａ及び３５Ｂ）がダイバーシティ用に２つ設けられており、ディバイダ４０を介してＲＦ回路１４に接続されている点が実施の形態１と異なる。その他の構成は実施の形態１に準ずるため、同一構成要素には同一符号を付し、その説明を省略する。
【００５０】
図３は、実施の形態２の生体信号検出装置と処理装置のハードウェア構成を示すブロック図である。生体信号検出装置３０は、ＲＦ回路１４の出力側にディバイダ４０を介して接続される一対の送信用電極３５Ａ及び３５Ｂを含む。
【００５１】
ディバイダ４０を介しているのは、一対の送信用電極３５Ａ及び３５Ｂを用いても、実施の形態１の場合と同一のインピーダンス整合を実現するためである。
【００５２】
このような実施の形態２の生体信号検出装置３０によれば、処理装置１００に生体信号を送信する際に、一対の送信用電極３５Ａ及び３５Ｂにより、人体がダイバーシティアンテナになるため、通信状態をより良好なものにすることができる。
【００５３】
図４及び図５は、実施の形態２の生体信号検出装置３０における一対の送信用電極３５Ａ及び３５Ｂの構成を示す図である。
【００５４】
図４（ａ）は、人体にキャップを着用させた状態を示す側面図であり、図４（ｂ）はキャップの内側を示す底面図である。
【００５５】
図４（ａ）及び（ｂ）に示すように、一対の送信用電極３５Ａ及び３５Ｂは、キャップの内側に配設されており、人間がキャップを着用した際に、人間の皮膚に着接することにより、人体がダイバーシティアンテナとして機能するように構成されている。
【００５６】
また、図４（ａ）及び（ｂ）に示すように、一対の検出電極１１Ａ及び１１Ｂもキャップに配設してもよい。これにより、キャップを着用したまま生体信号の測定と送信を行うことができる。
【００５７】
図５（ａ）は、眼鏡の左右のフレームに送信用電極３５Ａ及び３５Ｂを取り付けた状態を示す図である。人間が眼鏡を着用した際に、人間の皮膚に着接することにより、人体がダイバーシティアンテナとして機能するように構成されている。
【００５８】
図５（ｂ）は、耳掛け型のイヤホンの柄の部分に送信用電極３５Ａ及び３５Ｂを取り付けた状態を示す図である。人間が眼鏡を着用した際に、人間の皮膚に着接することにより、人体がダイバーシティアンテナとして機能するように構成されている。
【００５９】
このように、実施の形態２の生体信号検出装置３０によれば、キャップ、眼鏡、又は耳掛け型のイヤホンを着用した状態で人体をダイバーシティアンテナとして利用して処理装置１００に生体信号を送信することができる。
【００６０】
なお、ここでは、キャップ、眼鏡、又は耳掛け型のイヤホンについて説明したが、ヘッドフォン、リストバンド、ストラップ、ベルト、又はヘルメットに送信用電極３５Ａ及び３５Ｂを取り付けてもよい。
【００６１】
［実施の形態３］
実施の形態３の生体信号検出装置５０は、生体信号検出装置５０は、２つのＲＦ回路１４Ａ及び１４Ｂを含み、それぞれのＲＦ回路１４Ａ及び１４ＢにＭＩＭＯ（Multi-Input Multi-Output）通信用の電極５５Ａ、５５Ｂが接続されており、ＲＦ制御部１６が２つのＲＦ回路１４Ａ及び１４Ｂで用いる搬送波の周波数を最適化する点が実施の形態２と異なる。その他の構成は実施の形態１、２に準ずるため、同一構成要素には同一符号を付し、その説明を省略する。
【００６２】
図６は、実施の形態３の生体信号検出装置と処理装置のハードウェア構成を示すブロック図である。生体信号検出装置５０は、２つのＲＦ回路１４Ａ及び１４Ｂを含む。ＲＦ回路１４Ａ及び１４Ｂには、それぞれ、ＭＩＭＯ通信用の電極５５Ａ、５５Ｂが接続されている。
【００６３】
また、ＲＦ制御部１６は、ＲＦ信号検出回路２０によって検出される信号に基づき、インピーダンス整合を取るために、２つのＲＦ回路１４Ａ及び１４Ｂで用いる搬送波の周波数を最適化する。
【００６４】
生体信号検出装置５０のその他の構成は、実施の形態２の生体信号検出装置３０に準ずる。
【００６５】
また、実施の形態３では、ＭＩＭＯによる通信を実現するために、処理装置３００が２つの受信部１２０Ａ、１２０Ｂを備え、受信部１２０Ａ及び１２０Ｂのそれぞれに受信用のアンテナ１１０Ａ及び１１０Ｂが接続されている点が実施の形態２における処理装置１００と異なる。
【００６６】
処理装置３００のＰＣ１３０は、受信部１２０Ａ及び１２０Ｂによって受信される信号に基づいて生体信号を診断するための種々の処理を実行する。
【００６７】
ここで、一対の送信用電極５５Ａ、５５Ｂの間の距離、及び、アンテナ１１０Ａ、１１０Ｂの間の距離ｄ１、ｄ２は、搬送波の波長をλとすると、ｄ１、ｄ２ともに、λ／２π以上である必要があり、特に、０．７λ以上であることが好ましい。これは、近傍界と遠方界の境界がλ／２πであり、また、０．７λ以上離れていれば、波動インピーダンスが３７７（Ω）になることが分かっているからである。
【００６８】
例えば、搬送波の周波数が４ＧＨｚの場合には、λは７５ｍｍとなるため、ｄ１、ｄ２は、５２ｍｍ（０．７λ）以上であることが好ましいことになる。
【００６９】
このような実施の形態３の生体信号検出装置５０によれば、処理装置３００に生体信号を送信する際に、一対の送信用電極５５Ａ及び５５Ｂにより、人体がＭＩＭＯ通信用のアンテナになるため、通信状態をより良好なものにすることができる。
【００７０】
なお、実施の形態３の生体信号検出装置５０における一対の送信用電極５５Ａ及び５５Ｂは、実施の形態２の生体信号検出装置３０における一対の送信用電極３５Ａ及び３５Ｂと同様に、図４及び図５に示すように、キャップ、眼鏡、又は耳掛け型のイヤホンに取り付けることができ、さらに、ヘッドフォン、リストバンド、ストラップ、ベルト、又はヘルメット等に取り付けることもできる。
【００７１】
また、以上では、一対の送信用電極５５Ａ及び５５Ｂとアンテナ１１０Ａ及び１１０ＢをＭＩＭＯ通信用に用いる形態について説明したが、生体信号検出装置５０の送信用電極と処理装置３００のアンテナの数は、１又は３つ以上であってもよく、生体信号検出装置５０の送信用電極と処理装置３００のアンテナの数が異なっていてもよい。
【００７２】
以上、実施の形態１乃至３の生体信号検出装置について説明したが、インパルス無線通信を行う場合には、ＲＦ信号として搬送波の代わりにインパルス伝送用のパルス波を用いればよい。
【００７３】
以上、本発明の例示的な実施の形態の生体信号検出装置について説明したが、本発明は、具体的に開示された実施の形態に限定されるものではなく、特許請求の範囲から逸脱することなく、種々の変形や変更が可能である。
【図面の簡単な説明】
【００７４】
【図１】実施の形態１の生体信号検出装置のハードウェア構成を示すブロック図である。
【図２】実施の形態１の生体信号検出装置１０のＣＰＵ１３が実行するインピーダンス整合処理、生体信号検出処理、及び生体信号送信処理を示す図である。
【図３】実施の形態２の生体信号検出装置と処理装置のハードウェア構成を示すブロック図である。
【図４】実施の形態２の生体信号検出装置３０における一対の送信用電極３５Ａ及び３５Ｂの構成を示す図である。
【図５】実施の形態２の生体信号検出装置３０における一対の送信用電極３５Ａ及び３５Ｂの構成を示す図である。
【図６】実施の形態３の生体信号検出装置と処理装置のハードウェア構成を示すブロック図である。
【符号の説明】
【００７５】
１０、３０、５０  生体信号検出装置
１１Ａ、１１Ｂ  検出電極
１２  生体信号検出回路
１２Ａ、２０Ａ  フィルタ
１２Ｂ、２０Ｂ  アンプ
１２Ｃ、２０Ｃ  ＡＤＣ
１３  ＣＰＵ
１４、１４Ａ、１４Ｂ  ＲＦ回路
１５、３５Ａ、３５Ｂ、５５Ａ、５５Ｂ  送信用電極
１６  ＲＦ制御部
１７  タッチパネル
１８  メモリ
１９  バッテリ
２０  ＲＦ信号検出回路
４０  ディバイダ
１００、３００  処理装置
１１０、１１０Ａ、１１０Ｂ  受信用のアンテナ
１２０、１２０Ａ、１２０Ｂ  受信部
１３０  ＰＣ
【図１】
0005373330.tif 000002
【図２】
0005373330.tif 000003
【図３】
0005373330.tif 000004
【図４】
0005373330.tif 000005
【図５】
0005373330.tif 000006
【図６】
0005373330.tif 000007